(57)【特許請求の範囲】
【請求項１】
小分けに分散された小分け被計量物の重量を計量する複数の計量部と、
各計量部に対して小分け被計量物を供給するための供給手段と、
複数の小分け被計量物を組み合わせた組み合わせ被計量物の目標重量を記憶する記憶手段と、
前記目標重量の組み合わせ被計量物が得られるように、前記計量部における小分け計量値に基づき、あらかじめ決められた数の計量部の組み合わせを選択する組み合わせ処理実行手段と、
選択された計量部から小分け被計量物が次工程に給出されるように、それらの計量部の動作を制御する制御手段と
を備えた組み合わせ秤において、
前記組み合わせ処理実行手段による組み合わせ処理に際して、目標重量の組み合わせが存在しない場合、少なくともひとつの計量部に対して前記供給手段における小分け被計量物の供給能力が低下されるように切換えて、小分け被計量物の再投入処理を実行する再投入処理実行手段と、初回組み合わせ処理時より少ない数の計量部が選択されるように、計量部の再組み合わせ処理を実行する再組み合わせ処理実行手段と
を設けたことを特徴とする組み合わせ秤。
【請求項２】
前記組み合わせ処理実行手段は、小分け被計量物の計量値があらかじめ設定された値より低い計量部に対して再投入を行わせることを特徴とする請求項１に記載の組み合わせ秤。
【請求項３】
初回組み合わせ処理においては、全計量部の半分以上の数の計量部が選択されることを特徴とする請求項１または２に記載の組み合わせ秤。
【請求項４】
再組み合わせ処理を複数回実行することを特徴とする請求項１〜３のうちのいずれか一項に記載の組み合わせ秤。
【請求項５】
初回組み合わせ処理状態と、再組み合わせ処理状態とを表示するための表示手段を設けたことを特徴とする請求項１〜４のうちのいずれか一項に記載の組み合わせ秤。
【請求項６】
小分け被計量物を供給する供給手段を作動させ複数の計量部に小分けに分散された小分け被計量物を投入して、各計量部においてその小分け被計量物の重量を計量し、その計量値に基づいてあらかじめ決められた数の計量部の組み合わせを選択することにより、目標重量の組み合わせ被計量物が得られるように組み合わせ処理を実行し、選択された計量部から小分け被計量物を次工程に給出するようにした組み合わせ秤における計量方法において、
前記組み合わせ処理に際して、前記目標重量となる組み合わせが存在しない場合、少なくともひとつの計量部に対して前記供給手段における小分け被計量物の供給能力が低下されるように切換えて、小分け被計量物の再投入処理を実行した後、初回組み合わせ処理時より少ない数の計量部が選択されるように再組み合わせ処理を実行することを特徴とする組み合わせ秤における計量方法。
【発明の詳細な説明】
【技術分野】
【０００１】
本発明は、食品等の分散された小分けの被計量物を目標重量となるように組み合わせるための組み合わせ秤、及びその組み合わせ秤における計量方法に関するものである。
【背景技術】
【０００２】
この種の組み合わせ秤においては、複数の計量ホッパよりなる計量部が設けられ、その計量部に小分けされた被計量物が投入されて、重量が計量される。そして、各計量部における小分け被計量物の計量結果に基づいて、あらかじめ決められた数の計量部の組み合わせを選択することにより、目標重量の組み合わせ被計量物が得られるように組み合わせ処理が実行され、選択された計量部から小分け被計量物が次工程の包装装置等に同時に給出される。
【０００３】
この組み合わせ秤の組み合わせ処理において、組み合わせ精度を高めるためには、組み合わせの種類が多くなるように設定する必要がある。例えば１０箇所の計量部を設けた場合において、組み合わせ選択数を４に設定する（以下、この関係を「１０（計量部数）Ｃ４（組み合わせ選択数）」と表記する）と、１０Ｃ４は２１０通り、組み合わせ選択数を５個に設定すると、１０Ｃ５は２５２通り、組み合わせ選択数を６個に設定すると、１０Ｃ６は２１０通りの組み合わせ種類が得られる。この場合、組み合わせ選択数に応じて、各計量部に対する小分け被計量物の投入量を設定する必要がある。例えば、組み合わせ選択数が４の場合には、小分け被計量物の投入量を目標重量の１／４（４分の１）となるように設定し、組み合わせ選択数が６の場合には、小分け被計量物の投入量を目標重量の１／６（６分の１）となるように設定する。
【０００４】
このように、計量部数及び組み合わせ選択数を、組み合わせ種類が多くなるように設定した場合でも、各計量部に対する小分け被計量物の投入量のバラツキ等により、組み合わせ処理時において目標重量の組み合わせ被計量物が得られないことがある。
【０００５】
このような問題に対処するため、例えば特許文献１〜特許文献４に開示されるような構成が従来から提案されている。
特許文献１に記載の構成においては、組み合わせ処理に際して規定の目標重量の組み合わせ被計量物が得られなかった場合に、所定計量値以下の計量部が判別される。そして、判別された計量部に対して被計量物が追加投入されて、この状態で組み合わせ処理が再び実行される。
【０００６】
特許文献２に記載の構成においては、組み合わせ処理に際して組み合わせ選択されなかった計量部のうちで、計量値が所定計量値範囲の上限よりも大きい投入過多の計量部と、計量値が所定計量値範囲の下限よりも小さい投入過少の計量部とについて、表示部に表示が行われる。そして、この表示部の表示に基づいて、作業者が計量部に対して被計量物を取り出しまたは追加投入することにより、組み合わせ不良の発生頻度が低減される。
【０００７】
特許文献３に記載の構成においては、過去の組み合わせ処理に際しての組み合わせ選択数の平均値が求められて、表示部に表示される。そして、作業者が表示部の表示に基づいて、各計量部に対する被計量物の投入量を変更することにより、組み合わせ処理時における計量部の組み合わせ選択数が最適となるように調節設定される。
【０００８】
特許文献４に記載の構成においては、各計量部の計量値に基づいて、１つの計量部あたりの平均計量値が求められ、その平均計量値により組み合わせ被計量物の目標重量値が除算される。そして、この目標重量値に基づいて、計量部の組み合わせ選択数が算出され、その組み合わせ選択数により組み合わせ処理に参加する計量部の数が変更される。
【０００９】
また、前記特許文献１〜特許文献４に記載の従来構成のほかに、組み合わせ処理に際して目標重量の組み合わせが存在しない場合、全計量部の小分け被計量物を強制排出した後、各計量部に新たに小分け被計量物を投入して、組み合わせ選択を実行する方法も提案されている。この場合、強制排出された小分け被計量物を次工程の包装装置に送出されないように排除して、再び計量部に投入使用する方法と、強制排出された小分け被計量物を包装装置において包材に包装した後、その後工程の重量検査装置において規定重量範囲外として排除する方法とがある。
【先行技術文献】
【特許文献】
【００１０】
【特許文献１】特開昭５９−２００９２１号公報
【特許文献２】特開２００６−２１４７８４号公報
【特許文献３】特開２０００−３１４６５６号公報
【特許文献４】特開昭６２−２２０２８号公報
【発明の概要】
【発明が解決しようとする課題】
【００１１】
ところが、前述した従来構成においては、次のような問題があった。
特許文献１に記載の構成では、目標重量の組み合わせが得られない場合において、所定計量値以下の計量部に小分け被計量物を追加投入する際に、その追加投入量を加減することができない。このため、小分け被計量物の追加投入後に再組み合わせ処理を実行しても、目標重量から外れた組み合わせとなりやすい。このような不具合に対処するため、目標重量の上限値を大きく設定する方法も提案されるが、このようにした場合には、組み合わせ被計量物の重量超過が発生しやすくなって、歩留まりが悪くなるおそれがあった。
【００１２】
特許文献２に記載の構成では、作業者が投入過多または投入過少の計量部に対して被計量物を取り出しまたは追加投入を行って、小分け被計量物の調整を行っているため、調整操作が煩雑になるとともに、高い調整精度を期待することはできない。
【００１３】
特許文献３に記載の構成においても、作業者が計量部に対する小分け被計量物の投入量の変更を調整するため、作業が煩雑になるとともに、高い調整精度を期待することはできない。
【００１４】
特許文献４に記載の構成では、１つの計量部あたりの平均計量値に応じて、計量部の組み合わせ選択数及び組み合わせ処理に参加する計量部の数を変更する必要があるため、組み合わせ処理を実行させるための制御構成が複雑になる。
【００１５】
また、目標重量に適合する計量部の組み合わせが存在しない場合に、全計量部の小分け被計量物を強制排出して、新たに小分け被計量物を投入する方法においては、次のような問題があった。すなわち、強制排出した小分け被計量物を包装装置の外側に排除して、再び計量部に投入使用する方法では、小分け被計量物の投入や計測が繰り返されるため、計量効率が悪くなるとともに、被計量物が損傷しやすい。さらに、強制排出した組み合わせ被計量物を包装した後に、重量検査装置において規定外として排除する方法では、余分な包材や包装作業を必要として、コスト高になる。
【００１６】
本発明は、このような従来の技術に存在する問題点に着目してなされたものである。その目的は、計量部の組み合わせ処理において、規定の目標重量に適合する確率を高めることができるとともに、組み合わせ処理高精度にかつ効率よく行うことができる組み合わせ秤及び組み合わせ秤における計量方法を提供することにある。
【課題を解決するための手段】
【００１７】
上記の目的を達成するために、組み合わせ秤に係る発明では、小分けに分散された小分け被計量物の重量を計量する複数の計量部と、各計量部に対して小分け被計量物を供給するための供給手段と、複数の小分け被計量物を組み合わせた組み合わせ被計量物の目標重量を記憶する記憶手段と、前記目標重量の組み合わせ被計量物が得られるように、前記計量部における小分け計量値に基づき、あらかじめ決められた数の計量部の組み合わせを選択する組み合わせ処理実行手段と、選択された計量部から小分け被計量物が次工程に給出されるように、それらの計量部の動作を制御する制御手段とを備えた組み合わせ秤において、前記組み合わせ処理実行手段による組み合わせ処理に際して、目標重量の組み合わせが存在しない場合、少なくともひとつの計量部に対して前記供給手段における小分け被計量物の供給能力が低下されるように切換えて、小分け被計量物の再投入処理を実行する再投入処理実行手段と、初回組み合わせ処理時より少ない数の計量部が選択されるように、計量部の再組み合わせ処理を実行する再組み合わせ処理実行手段とを設けたことを特徴としている。
【００１８】
ここで、目標重量とは、組み合わせ重量において許容される増減値，例えばプラス・マイナス３％の許容範囲を含む所定幅の値を指すものとする。また、初回組み合わせとは、組み合わされた被計量物の次工程への給出後における最初の組み合わせ動作を指す。
【００１９】
従って、本発明の組み合わせ秤においては、計量部の初回組み合わせ処理時に、目標重量となる組み合わせが存在しない場合、少なくともひとつの計量部に小分け被計量物が再投入された後に、初回組み合わせ処理時より少ない計量部の組み合わせ選択数により、再組み合わせ処理が実行される。よって、計量部の組み合わせが目標重量に適合する確率を高めることができるとともに、組み合わせ処理を高精度にかつ効率よく行うことができる。
【００２０】
前記組み合わせ処理実行手段は、小分け被計量物の計量値があらかじめ設定された値より低い計量部に対して再投入を行わせることが好ましい。
また、初回組み合わせ処理においては、全計量部の半分以上の数の計量部が選択されることが望ましい。
【００２１】
さらに、再組み合わせ処理を複数回実行することも有用である。
加えて、初回組み合わせ処理状態と、再組み合わせ処理状態とを表示するための表示手段を設けるとよい。
【００２２】
また、組み合わせ秤における計量方法においては、小分け被計量物を供給する供給手段を作動させ複数の計量部に小分けに分散された小分け被計量物を投入して、各計量部においてその小分け被計量物の重量を計量し、その計量値に基づいてあらかじめ決められた数の計量部の組み合わせを選択することにより、目標重量の組み合わせ被計量物が得られるように組み合わせ処理を実行し、選択された計量部から小分け被計量物を次工程に給出するようにした組み合わせ秤における計量方法において、前記組み合わせ処理に際して、前記目標重量となる組み合わせが存在しない場合、少なくともひとつの計量部に対して前記供給手段における小分け被計量物の供給能力が低下されるように切換えて、小分け被計量物の再投入処理を実行した後、初回組み合わせ処理時より少ない数の計量部が選択されるように再組み合わせ処理を実行することを特徴とする。
【発明の効果】
【００２３】
以上のように、本発明によれば、組み合わせ処理において、目標重量に適合する確率を高めることができるとともに、組み合わせ処理を高精度にかつ効率よく行うことができるという効果を発揮する。
【図面の簡単な説明】
【００２４】
【図１】第１実施形態の組み合わせ秤を示す概略構成図。
【図２】図１の組み合わせ秤の回路構成を示すブロック図。
【図３】同組み合わせ秤の計量運転時における操作設定表示部の表示状態を示す図。
【図４】同組み合わせ秤の計量運転時の動作を示すフローチャート。
【発明を実施するための形態】
【００２５】
以下に、本発明を具体化した組み合わせ秤を備えた計量包装システムの実施形態を図面に従って説明する。
図１に示すように、この実施形態の計量包装システムにおいては、食品等の被計量物Ｍを計量する組み合わせ秤１１と、その組み合わせ秤１１の次工程を構成するように、組み合わせ秤１１の下流側に設けられた包装装置１２とが装備されている。包装装置１２の下流側には、コンベア１３を介して重量検査装置１４が配置されている。
【００２６】
前記組み合わせ秤１１は、後述する複数の計量部としての計量ホッパ２９に投入された小分け被計量物Ｍを計量するとともに、その計量された小分け被計量物Ｍの組み合わせを選定して、組み合わせ処理後の組み合わせ被計量物Ｍを次工程の包装装置１２に送出する。包装装置１２は、計量組み合わせ済みの組み合わせ被計量物Ｍを包材Ｐに収容するとともに、その包材Ｐを加熱シールすることにより、組み合わせ被計量物Ｍの包装を行う。重量検査装置１４は、包装済みの製品が規定重量になっているか否かを検査する。
【００２７】
組み合わせ秤１１の上部中央には、被計量物Ｍを供給する供給装置２０、供給された被計量物Ｍを振り分けることによって分散させて下流側に送出するトップコーン２１、及びそのトップコーン２１を振動させるためのソレノイド等よりなるメインフィーダ２２が配置されている。トップコーン２１の外周には、複数の計量ユニット２３が所定角度間隔おきに配置されている。この実施形態では、１０組の計量ユニット２３が配置されている。
【００２８】
図１に示すように、各組の前記計量ユニット２３には、トップコーン２１から被計量物Ｍを受け取って下流側に送出するリニアフィーダパン２４、及びそのリニアフィーダパン２４を振動させるためのソレノイド等よりなる供給手段としてのリニアフィーダ２５が設けられている。リニアフィーダパン２４の下流側には、リニアフィーダパン２４から小分けされた被計量物Ｍを受け取って下流側に送出する供給ホッパ２６が配置されている。供給ホッパ２６の下端部には供給ホッパゲート２７が設けられ、パルスモータ等よりなるアクチュエータ２８により開閉される。
【００２９】
図１に示すように、前記各計量ユニット２３において、供給ホッパ２６の下流側には、供給ホッパ２６から小分け被計量物Ｍを受け取って下流側に送出する計量部としての計量ホッパ２９が配置されている。計量ホッパ２９の下端部には計量ホッパゲート３０が設けられ、パルスモータ等よりなるアクチュエータ３１により開閉される。計量ホッパ２９には、同ホッパ２９内の小分け被計量物Ｍの重量を計測するためのロードセル等よりなる計量センサ３２が取り付けられている。そして、計量ホッパ２９における計量センサ３２の計量値の組み合わせ合計が目標重量となるように、あらかじめ決められた数の計量ホッパ２９の小分け被計量物Ｍの組み合わせが選定されて、選定された小分け被計量物Ｍが計量ホッパゲート３０から下流側に排出される。
【００３０】
図１に示すように、前記計量ユニット２３の下流側には、複数の計量ホッパ２９の計量ホッパゲート３０から排出される小分け被計量物Ｍを集合させて下流側に送出する集合シュート３３が配置されている。集合シュート３３の下流側には、振り分けシュート３４が配置されている。図1に実線及び鎖線で示すように、この振り分けシュート３４は、集合シュート３３からの被計量物Ｍを包装装置１２内に送出する第１位置と、被計量物Ｍを包装装置１２の外側に排出する第２位置とに切り替え配置される。
【００３１】
図１に示すように、前記包装装置１２には、包材Ｐを加熱シールして被計量物Ｍを同包材Ｐによって包装するためのシールヒータ３６が設けられている。包装装置１２には、その包装装置１２の運転を制御するための制御部３７が設けられている。重量検査装置１４には、その重量検査装置１４の運転を制御するための制御部１４ａが設けられている。そして、組み合わせ秤１１の運転に際して、包装装置１２及び重量検査装置１４の準備が完了したとき、包装装置１２の制御部３７から図２に示す組み合わせ秤１１の制御部４１に対して、被計量物Ｍの排出命令信号が送信される。
【００３２】
次に、前記のように構成された組み合わせ秤１１の電気回路構成について説明する。
図２に示すように、組み合わせ秤１１の制御部４１は、組み合わせ秤１１の運転を制御する制御手段を構成している。制御部４１には、組み合わせ秤１１の運転に必要なプログラム等を記憶するための記憶手段としての記憶部４２が接続されている。制御部４１には、組み合わせ秤１１の起動停止や設定データの入力等を行うとともに、運転状態等の情報を表示するための表示手段としての表示部４３が接続されている。
【００３３】
前記記憶部４２には、組み合わせ処理における組み合わせ被計量物Ｍの目標重量、各計量ホッパ２９に対する小分け被計量物Ｍの投入重量、初回組み合わせ処理時の計量ホッパ２９の組み合わせ選択数、再組み合わせ処理時の計量ホッパ２９の組み合わせ選択数等の諸データが記憶されている。この実施形態では、計量ホッパ２９への被計量物Ｍの投入量重量が、組み合わせ被計量物Ｍの目標重量の１／６となるように設定されている。また、初回組み合わせ処理時の計量ホッパ２９の組み合わせ選択数が、１０個の計量ホッパ２９のうちの６個（１０Ｃ６）となるように設定されている。さらに、再組み合わせ処理時の計量ホッパ２９の組み合わせ選択数が、初回組み合わせ処理時の組み合わせ選択数より少ない数の４個（１０Ｃ４）となるように設定されている。
【００３４】
前記組み合わせ秤１１の制御部４１は、前記各計量ユニット２３のメインフィーダ２２、リニアフィーダ２５、供給ホッパゲート２７のアクチュエータ２８及び計量ホッパゲート３０のアクチュエータ３１に対して、駆動または停止信号を出力する。制御部４１は、各計量ホッパ２９の計量センサ３２から計量値信号を入力する。制御部４１は、前記供給装置２０に対して、駆動または停止信号を出力する。
【００３５】
また、前記組み合わせ秤１１の制御部４１は、振り分けシュート３４からの被計量物Ｍの排出時に、前記包装装置１２及び重量検査装置１４の制御部３７，１４ａに対して、被計量物Ｍの排出完了信号を送信する。さらに、制御部４１は、包装装置１２の制御部３７からの被計量物Ｍの排出命令信号を受信する。
【００３６】
前記組み合わせ秤１１の制御部４１は、運転時に各計量ホッパ２９において計量された小分け被計量物Ｍの計量値と記憶部４２に記憶された目標重量とに基づいて、その目標重量の組み合わせ被計量物Ｍが得られるように、記憶部４２に記憶された組み合わせ選択数よりなる計量ホッパ２９の組み合わせを選択する。つまり、この制御部４１により、計量ホッパ２９の組み合わせ処理を実行するための組み合わせ処理実行手段が構成されている。
【００３７】
前記制御部４１は、計量ホッパ２９の組み合わせ処理に際して、目標重量となる組み合わせが存在しない場合、少なくともひとつの計量ホッパ２９に対して小分け被計量物Ｍを再投入させる。この実施形態では、計量値が目標重量の１／６よりも低い計量ホッパ２９を検索し、その検索された計量ホッパ２９に対して目標重量の１／６の小分け被計量物Ｍを再投入させる。つまり、この制御部４１により、小分け被計量物Ｍを再投入させるための再投入手段が構成されている。
【００３８】
前記制御部４１は、小分け被計量物Ｍの再投入後に、各計量ホッパ２９の計量値と目標重量とに基づいて、その目標重量の組み合わせ被計量物Ｍが得られるように、初回組み合わせ処理時より少ない数の組み合わせ選択数１０Ｃ４よりなる計量ホッパ２９の組み合わせを再選択する。つまり、この制御部４１により、計量ホッパ２９の再組み合わせ処理を実行するための再組み合わせ処理実行手段が構成されている。
【００３９】
また、前記制御部４１は、組み合わせ秤１１の運転時に表示部４３に対して、図３に例示するような表示画面４４を表示させる。この表示画面４４には、品種表示部４４ａ、計量値表示部４４ｂ、運転状態表示部４４ｃ、組み合わせ選択表示部４４ｄ、タッチ式キースイッチ４４ｅが設けられている。
【００４０】
前記表示画面４４の品種表示部４４ａには、被計量物Ｍの品種番号及び品種名が表示される。計量値表示部４４ｂには、１０箇所の計量ホッパ２９において計量された小分け被計量物Ｍの計量値がそれぞれ表示されるとともに、組み合わせ処理時に組み合わせ選択された計量ホッパ２９の色彩が反転表示される。運転状態表示部４４ｃには、設定された目標重量及び運転速度が表示される。選択表示部４４ｄは、組み合わせ処理または再組み合わせ処理の実行状況に応じて色彩が反転表示される。タッチ式キースイッチ４４ｅは、運転のＯＮ−ＯＦＦ制御を行うものである。
【００４１】
次に、前記のように構成されたこの実施形態の組み合わせ秤１１の動作を説明する。はじめに、この実施形態の組み合わせ秤１１の動作を概略的に説明する。計量運転が開始されると、１計量サイクルにおいて、トップコーン２１及びメインフィーダ２２を介して供給ホッパ２６に組み合わせ被計量物Ｍの目標重量の１／６を目標とする重量の小分け被計量物Ｍが投入される。次いで、その小分け被計量物Ｍが供給ホッパ２６から空の計量ホッパ２９に対して投入されて、各計量ホッパ２９において小分け被計量物Ｍの重量が計量される。そして、目標重量の組み合わせ被計量物Ｍが得られるように、６箇所の計量ホッパ２９における小分け被計量物Ｍの組み合わせが選択されて、その選択された小分け被計量物Ｍが包装装置１２に給出される。一方、計量ホッパ２９への小分け被計量物Ｍの投入量が足りず、目標重量の組み合わせ被計量物Ｍが得られなかった場合は、再計量サイクルが実行されて、目標重量の１／６の重量に満たない計量ホッパ２９のうちの１または複数の計量ホッパ２９に対して初回の計量サイクルと同様に小分け被計量物Ｍが再投入される。そして、小分け被計量物Ｍの再計量が行われるが、この再計量に際しては、４箇所の計量ホッパ２９における小分け被計量物Ｍの組み合わせが選択される。
【００４２】
そこで、以下に前記計量運転を図４のフローチャートに従って詳細に説明する。このフローチャートは前記記憶部４２に記憶されたプログラムが制御部４１の制御のもとに実行されるものである。
【００４３】
まず、計量運転開始に先立って、被計量物Ｍの種類，組み合わせ処理後の目標重量，組み合わせ秤１１の運転速度等が作業者により操作部４５から入力される。それらの入力されたデータは記憶部４２のワーキングエリアに記憶されて設定されるとともに、その設定された内容が図３に示す表示画面４４に表示される。
【００４４】
そして、操作部４５における操作により、ステップＳ（以下、単にＳという）１において計量運転が開始されると、プログラムがＳ２に進行して、メインフィーダ２２、リニアフィーダ２５及び供給ホッパゲート２７のアクチュエータ２８が作動される。この作動により、各計量ホッパ２９に対して前記目標重量の１／６の重量を目標とした小分け被計量物Ｍが投入される。次のＳ３では、各計量ホッパ２９において小分け被計量物Ｍの重量が計量されて、その計量ホッパ２９ごとの計量データが各計量センサ３２から制御部４１に対して出力される。この計量結果は図３に示す計量値表示部４４ｂにおいて計量ホッパ２９ごとに表示される。また、このとき運転状態表示部４４ｃには、目標重量値とともに、運転速度が表示される。さらに、組み合わせ選択表示部４４ｄには、各計量ホッパ２９に投入された小分け被計量物Ｍの平均値に対して選択される計量ホッパ２９の数（この場合は６）を掛けた値と、計量ホッパ２９に投入された小分け被計量物Ｍの標準偏差（小分け被計量物Ｍの重量のバラツキ度合い）とが表示される。
【００４５】
そして、Ｓ４において、各計量ホッパ２９の計量値に基づいて、目標重量の組み合わせ被計量物Ｍが得られるように、設定された組み合わせ選択数１０Ｃ６の計量ホッパ２９の組み合わせ選択処理が実行される。次のＳ５では、小分け被計量物Ｍの再投入が必要か否か、すなわち計量ホッパ２９の組み合わせ処理において、目標重量に適合する組み合わせが存在するか否かが判別される。目標重量に適合する組み合わせが存在する場合には、プログラムがＳ６に進行して、包装装置１２からの排出命令信号の受信を待つ。
【００４６】
一方、Ｓ５において、目標重量に適合する組み合わせが存在しなかった場合には、プログラムはＳ７に進行して、小分け被計量物Ｍが目標重量の１／６に達しなかった計量ホッパ２９に対して目標重量の１／６を目標とした小分け被計量物Ｍが再投入される。そして、Ｓ８において、計量ホッパ２９の再組み合わせ処理を実行するために組み合わせ選択数が初回組み合わせ時より少ない４（１０Ｃ４）に設定され、表示画面４４の組み合わせ選択表示部４４ｄの表示が切換えられる。
【００４７】
次のＳ９では、計量ホッパ２９の組み合わせ処理において、目標重量に適合する組み合わせが存在するか否かが判別される。目標重量に適合する組み合わせが存在する場合は、プログラムが前記Ｓ６に進行する。
【００４８】
そして、前記Ｓ６において、制御部４１が包装装置１２から排出命令信号を受信すると、プログラムがＳ１０に進行して、組み合わせのために選択された計量ホッパ２９の計量ホッパゲート３０が開放され、その計量ホッパ２９内の小分け被計量物Ｍが集合シュート３３及び図１に実線で示す第１位置の振り分けシュート３４を介して包装装置１２に組み合わせ被計量物Ｍとして排出される。
【００４９】
そして、包装装置１２において、組み合わせ被計量物Ｍが包材Ｐ内に包装される。その後、Ｓ１１において、表示部４３のキースイッチ４４ｅから運転の停止指示が出されているか否かが判別される。運転の停止指示が出されるまでは、プログラムが前記Ｓ２に戻って、Ｓ２以降の動作が繰り返し行われ、運転の停止指示が出されたときに、組み合わせ秤１１の運転が停止される。
【００５０】
一方、前記Ｓ９の判別において、目標重量に適合する組み合わせが存在しなかった場合には、プログラムはＳ１２に進行する。そのＳ１２においては、初回計量サイクルにおいて、計量値が目標重量の１／６に達することがなく、再計量サイクルにおいて計量値零を示さなかった計量ホッパ２９、言い換えれば小分け被計量物Ｍが再投入されるべき計量ホッパ２９の全てが再投入済みの状態にあるか否かが判別される。再投入されるべき計量ホッパ２９の全てが再投入済みの状態にある場合には、それ以上投入しても、目標重量値を得ることができないため、プログラムがＳ１３に進行して、振り分けシュート３４が図１に鎖線で示す第２位置に切り替え配置される。その後、前記Ｓ１０において、全計量ホッパ２９の計量ホッパゲート３０が開放され、その計量ホッパ２９内の被計量物Ｍが集合シュート３３及び第２位置の振り分けシュート３４を介して、包装装置１２の外側に排出される。
【００５１】
また、前記Ｓ１２の判別において、再投入されるべき計量ホッパ２９の全てに対して小分け被計量物Ｍが再投入されていない場合には、プログラムがＳ１４に進行する。そのＳ１４においては、計量値が目標重量の１／６よりも低い計量ホッパ２９が検索される。そして、次のＳ１５において、検索された計量ホッパ２９に対して目標重量の１／６の重量を目標とした小分け被計量物Ｍが再投入される。その後、前記Ｓ３に戻って、Ｓ３以降の動作が順に行われる。従って、前記Ｓ１２における判断が可（イエス）となるまで、再投入と計量とが繰り返される。
【００５２】
従って、この実施形態によれば、以下のような効果を得ることができる。
（１）  この実施形態においては、目標重量の１／６の重量を目標とした小分け被計量物Ｍが計量されて、計量ホッパ２９の半数以上の計量ホッパ２９が選択される組み合わせが実行される。そして、目標重量の組み合わせが得られない場合は、特定の計量ホッパ２９に対して前記と同様に目標重量の１／６の重量を目標とした小分け被計量物Ｍが供給されて再計量される。従って、小分け被計量物Ｍの計量単位を小さくすることができるとともに、組み合わせに参加する計量ホッパ２９の数が多くなる。このため、高精度な組み合わせを実現できる。
【００５３】
（２）  この実施形態においては、前記のように、計量ホッパ２９の組み合わせ処理に際して、目標重量に適合する組み合わせが存在しない場合、初回組み合わせ処理時の組み合わせ選択数１０Ｃ６より少ない計量ホッパ２９の組み合わせ選択数１０Ｃ４により、再組み合わせ処理が実行される。よって、被計量物Ｍの組み合わせが目標重量に達する確率を高めることができて、組み合わせ処理を効率よく行うことができる。
【００５４】
（３）  この実施形態では、前記のように再組み合わせ処理が実行されるため、目標重量に適合する組み合わせが存在しない場合が少なくなり、従って、被計量物の強制排出頻度を減らすことができる。よって、被計量物を包装装置で包装した後に、規定重量範囲外として排除したりすることを少なくできる。このため、被計量物の歩留まりを向上できるとともに、余分な包材や包装作業を必要とせず、コストの低減を図ることができる。また、被計量物Ｍの繰り返し計測や余分な包装作業が行われないため、計量効率を向上させることができる。さらに、被計量物Ｍの強制排出と計量とを繰り返す回数が減るため、被計量物Ｍの損傷を少なくできる。
【００５５】
（変更例）
なお、この実施形態は、次のように変更して具体化することも可能である。
・  再計量サイクルにおいて、トップコーン２１及びリニアフィーダパン２４における単位時間当たりの供給量が減少されるように、メインフィーダ２２及びリニアフィーダ２５の振幅の縮小及び振幅周波数の低下うちの少なくとも一方が実行されるようにする。このようにすれば、再計量に際して、被計量物Ｍの供給能力が低下されるため、すでに、被計量物Ｍが供給されている計量ホッパ２９に対する再投入量が少なくなる。このため、再投入された計量ホッパ２９内の被計量物Ｍが過量になることを防止できる。
【００５６】
・  前記実施形態では、目標重量の組み合わせ被計量物Ｍが得られない場合、目標重量の１／６以下の計量値を示す計量ホッパ２９に対して小分け被計量物Ｍを再投入するようにしたが、例えば、目標重量の１／６以上の計量値の計量ホッパ２９に対して再投入しても、あるいは、投入された小分け被計量物Ｍの平均値以下の計量ホッパ２９に再投入してもよく、再投入される計量ホッパ２９は被計量物Ｍの種類等に応じて適宜に決定される。また、再投入される小分け被計量物Ｍの量は目標重量の１／７や１／８等、適宜に設定される。
【００５７】
・  計量部としての計量ホッパ２９の設置数、初回組み合わせ処理時における計量ホッパ２９の組み合わせ選択数、再組み合わせ処理時における計量ホッパ２９の組み合わせ選択数、及び組み合わせ処理における被計量物Ｍの目標重量を任意に変更して設定すること。
【００５８】
・  計量ホッパ２９の組み合わせ処理に際して、所定回数を超えて組み合わせ選択されなかった計量ホッパ２９を検索して、その検索された計量ホッパ２９内の被計量物Ｍを包装装置１２の外側に排出するように構成すること。
【００５９】
・  再計量において目標重量に適合する組み合わせが得られない場合は、目標重量に近い組み合わせの重量の組み合わせ被計量物Ｍを包装装置１２に排出して、その包装装置１２において、組み合わせ被計量物Ｍをエラー処理するようにすること。このようにすれば、振り分けシュート３４が不要になる。
【符号の説明】
【００６０】
１１…組み合わせ秤、１２…包装装置、２０…供給装置、２２…メインフィーダ、２３…計量ユニット、２５…リニアフィーダ、２６…供給ホッパ、２９…計量部としての計量ホッパ、３２…計量センサ、３３…集合シュート、３４…振り分けシュート、４１…制御手段、組み合わせ処理実行手段、再投入手段及び再組み合わせ処理実行手段を構成する制御部、４２…記憶手段としての記憶部、４３…操作設定表示部、Ｍ…被計量物。
【図１】
0005547536.tif 000002
【図２】
0005547536.tif 000003
【図３】
0005547536.tif 000004
【図４】
0005547536.tif 000005